(57)【要約】【課題】一種のオプティカル・ディスプレイデバイスを提供すること。【解決手段】第一凹レンズと、第二凹レンズと、発光体と、台と、からなり、前記第一凹レンズのミラーは光軸を取り巻くのに形成され、並びに前記光軸箇所に第一開口が設けられ、前記第二凹レンズのミラーは前記光軸を取り巻くのに形成され、並びに前記第一凹レンズと向かいあって設置され、これにより、前記物体を放置するためのスペースが形成され、並びに前記光軸箇所には第二開口があり、前記発光体は前記スペース箇所に設立される物体を照らすのに発光し、前記台は上述の第二開口に設置され、物体の設置に用いられ並びに第二開口と対応することにより、物体から発光した光線は前記第一、第二凹レンズの反射を経由して、第一開口箇所に写像し、かつ前記台の中に物体を連接するための駆動装置があり、物体の運動に用いられることを特徴とする。【選択図】図３
0003121210.tif 000002
【実用新案登録請求の範囲】
【請求項１】
物体の展示に用いられる一種のオプティカル・ディスプレイデバイスで、第一凹レンズと、第二凹レンズと、発光体と、台と、からなり、
前記第一凹レンズのミラーは光軸を取り巻くのに形成され、並びに前記光軸箇所に第一開口が設けられ、
前記第二凹レンズのミラーは前記光軸を取り巻くのに形成され、並びに前記第一凹レンズと向かいあって設置され、これにより、前記物体を放置するためのスペースが形成され、並びに前記光軸箇所には第二開口があり、
前記発光体は前記スペース箇所に設立される物体を照らすのに発光し、
前記台は上述の第二開口に設置され、物体の設置に用いられ並びに第二開口と対応することにより、物体から発光した光線は前記第一、第二凹レンズの反射を経由して、第一開口箇所に写像し、かつ前記台の中に物体を連接するための駆動装置があり、物体の運動に用いられることを特徴とする、
オプティカル・ディスプレイデバイス。
【請求項２】
前記発光体は複数になることができ、かつそれぞれ違ったカラーの光線をもつことを特徴とする、請求項１に記載のオプティカル・ディスプレイデバイス。
【請求項３】
前記駆動装置は電力を通して光センサーと連接することができ、光線を接収した後、駆動装置をスタートさせ、物体に運動が生じることを特徴とする、請求項１に記載のオプティカル・ディスプレイデバイス。
【請求項４】
前記オプティカル・ディスプレイデバイスの中の物体はスクリーンになり、前記第二開口に設置され、かつ前記駆動装置は写像システムに変わり、現したい図案を前記スクリーンに投影し、それから前記開口箇所に写像させることを特徴とする、請求項１に記載のオプティカル・ディスプレイデバイス。
【請求項５】
前記駆動装置は音声装置に連接することができ、物体の運動と同時に音声が生じることを特徴とする、請求項１に記載のオプティカル・ディスプレイデバイス。
【考案の詳細な説明】
【技術分野】
【０００１】
本考案は一種のオプティカル・ディスプレイデバイスで、とりわけ第一凹レンズおよび第二凹レンズと向かい合って、形成されたスペースにディスプレイする物体を置き、発光体と合わせて、スペース内で物体を照らし、並びに第一凹レンズおよび第二レンズの反射で写像、及び駆動装置と音声装置を設けることにより、視聴覚効能を引き出すことのできるオプティカル・ディスプレイデバイスである。
【背景技術】
【０００２】
図１及び図２で示されているように、よく周知のオプティカル・ディスプレイデバイス１００、その構造には、第一凹レンズ１０が一つ、第二凹レンズ２０が一つ及びディスプレイする物体５が一つ、第一凹レンズ１０のミラー１１は軸Ａを取り巻くことにより形成され並びに開口１２が一つあり、第二凹レンズ２０のミラー２１もまた軸Ａを取りまくことにより形成され、而してミラー１１とミラー２１は向かい合って設置されている。物体５は第一凹レンズ１０と第二凹レンズ２０の間で形成された空間３０の中に置かれ、物体５から反射された光線７と９は第一凹レンズ１０及び第二凹レンズ２０の反射で、開口１２の所に物体５と左右反対の実像６が形成される。
【０００３】
そして、上述の構成で、写像するのに、物体５自身が発光できないなら、外の光を開口１２から空間３０に導く必要があることが分かった。仮に外からの光が不足の状況になった場合に、写像効果が大いに損なわれ、かつこの構造にはいかなる動態、音声或は色彩変化の働きがなく、単調になってしまい、競争力に欠けてしまうことになる。
【０００４】
このため、本考案の創作者は上述の方法で生じた各欠点に鑑みて、早急に改良し、斬新なものができないかと、研究に専念し、苦心の甲斐があって、やっとこのオプティカル・ディスプレイデバイスの研究開発で成功をおさめた。
【考案の開示】
【考案が解決しようとする課題】
【０００５】
本考案の目的とは、すなわち一種のオプティカル・ディスプレイデバイスを提供することにあり、内部に十分な光があることにより素晴らしい写像効果のディスプレイが現れるだけでなく、駆動装置との組み合わせ、あるいは音声装置とのつなぎを増設することにより、写像すると同時に、動態における視覚と聴覚効果が得られる。
【課題を解決するための手段】
【０００６】
上に述べた目的に達したオプティカル・ディスプレイデバイスは第一スルーホールの第一凹レンズ、第二凹レンズ及び発光体からなり、前記第一凹レンズと第二凹レンズは向かい合って設置され、このことにより、前記物体を置くためのスペースができ、前記発光体の光線は即ちスペースを貫通し（例えば第一或いは第二凹レンズのように）、物体を照らした後、物体から反射された光線は第一、第二凹レンズの反射を経て、第一スルーホールに写像される。
【０００７】
上に述べたオプティカル・ディスプレイデバイスの発光体は複数の設計に分けられ、単色の光線、或いは一つの発光体の他の発光体と違うカラーの光線、或いは前記等発光体のそれぞれ違ったカラーの光線を発し、しかも前記等発光体は順番に発光する形態に設計され、写像された画像には単一、多色のカラーあるいは順番に発光する変化が見られる。
【０００８】
上に述べたオプティカル・ディスプレイデバイスをさらに見ると、第二凹レンズと組み合わせる台があり、台で駆動装置の設立並びに物体とのつなぎを供給し、発光体が物体を照射すると同時に、駆動装置で物体を動かせ（あるいは音声装置と連結し）、動態写像の視覚（聴覚も含む）効果を生じさせる。
【０００９】
すなわち、本願の第１考案は、物体の展示に用いられる一種のオプティカル・ディスプレイデバイスで、第一凹レンズと、第二凹レンズと、発光体と、台と、からなり、前記第一凹レンズのミラーは光軸を取り巻くのに形成され、並びに前記光軸箇所に第一開口が設けられ、前記第二凹レンズのミラーは前記光軸を取り巻くのに形成され、並びに前記第一凹レンズと向かいあって設置され、これにより、前記物体を放置するためのスペースが形成され、並びに前記光軸箇所には第二開口があり、前記発光体は前記スペース箇所に設立される物体を照らすのに発光し、前記台は上述の第二開口に設置され、物体の設置に用いられ並びに第二開口と対応することにより、物体から発光した光線は前記第一、第二凹レンズの反射を経由して、第一開口箇所に写像し、かつ前記台の中に物体を連接するための駆動装置があり、物体の運動に用いられることを特徴とする、オプティカル・ディスプレイデバイスを要旨としている。
【００１０】
本願の第２考案では、前記発光体は複数になることができ、かつそれぞれ違ったカラーの光線をもつことを特徴とする、本願の第１考案に記載のオプティカル・ディスプレイデバイスを要旨としている。
【００１１】
本願の第３考案では、前記駆動装置は電力を通して光センサーと連接することができ、光線を接収した後、駆動装置をスタートさせ、物体に運動が生じることを特徴とする、本願の第１考案に記載のオプティカル・ディスプレイデバイスを要旨としている。
【００１２】
本願の第４考案では、前記オプティカル・ディスプレイデバイスの中の物体はスクリーンになり、前記第二開口に設置され、かつ前記駆動装置は写像システムに変わり、現したい図案を前記スクリーンに投影し、それから前記開口箇所に写像させることを特徴とする、本願の第１考案に記載のオプティカル・ディスプレイデバイスを要旨としている。
【００１３】
本願の第５考案では、前記駆動装置は音声装置に連接することができ、物体の運動と同時に音声が生じることを特徴とする、本願の第１考案に記載のオプティカル・ディスプレイデバイスを要旨としている。
【考案の効果】
【００１４】
本考案に係るオプティカル・ディスプレイデバイス自身に光源があり、このためいかなる環境の下で、均等よく写像の品質は維持でき、同時に、光源のカラー変化により、違った視覚効果を生み出せ、故に、本考案は空間形態上では斬新なものであるだけでなく、比較的に物品を慣用することができ、このことにより、前述した多種の効果が生まれ、さらには当製品の実用価値及び競争力は高められるのである。
【考案を実施するための最良の形態】
【００１５】
以下、添付図面を参照して本考案の好適な実施の形態を詳細に説明する。
【実施例】
【００１６】
図３、図４を参照すると、本考案のオプティカル・ディスプレイデバイスは第一凹レンズ２１０、第二凹レンズ２２０及び複数の発光体（例えば発光ダイオード）４００から成り、前記第一凹レンズ２１０のミラー２１１は軸Ａを回って、成形され、並びに第一穴空け２１２があり、第二凹レンズ２２０のミラー２２１もまた軸Ａを回って、成形され、並びに第一凹レンズ２１０のミラー２１１とは向かい合って設置され、かつ第一凹レンズ２１０と第二凹レンズ２２０の間にスペース３００が形成され、物体５が置かれる。複数の発光体４００は第二凹レンズ２２０（或いは第一凹レンズ２１０）の外部に置かれ、第二凹レンズ２２０（或いは第一凹レンズ２１０）上に複数の第二開口２２５箇所があり、発光体４００の光線が第二開口２２５を経由し、スペース３００中に入って物体５に照射し、物体５から反射された光線は第一凹レンズ２１０と第二凹レンズ２２０の反射で、はっきりと第一開口２１２に写像されるのである。このほか、複数の発光体４００に対して、単一或いは違ったカラーの光線ができ、物体５の写像に単一或いは違ったカラーができ、或いは複数の発光体４００を順番通りに発光できるように設計し、このことにより、物体５の写像は断続的、連続的に違ったカラーが現れる。
【００１７】
図５を参照すると、本考案のオプティカル・ディスプレイデバイス２００は第一凹レンズ２１０、第二凹レンズ２２０及び発光体４００を除いて、さらには台５００からなり、及び第二凹レンズ２２０は第二開口２２２に設けられ、第二開口２２２箇所でフランジ２２４が形成され、フランジ２２４の外側にねじ山があり、台５００はねじ回しのやり方で第二凹レンズ２２０上に定置することができ、又台５００内に物体５を置き、並びに対応して第二凹レンズ２２０の第二開口箇所２２２に定置することもできる、さらに、物体５も同様にして、光線の照反射で第一開口２１２中に写像される。本実施例はねじ回しのやり方を例にして台５００が解体して第二凹レンズ２２０に結合できることを説明し、ただしミゾにはめ込む方法、或いはボルトで固定させる方法もまた用いることもできる。
【００１８】
再度、上述した台５００の中に駆動装置６００を一つ設置することができ、前記物体５は駆動装置６００に連接することにより、平行移動、回転等の作動が生じ、物体５の写像もまた対応的に動かれ、動態の視覚効果を増加させるのである。前記駆動装置６００には電動式モーター、手動の発条装置あるいは磁石からなり、そのうえ歯車、スプロケット等の伝導装置を付け加えることもできるので、運動形態がさらに多様化となる。
【００１９】
この他、第一凹レンズ２１０のミラー上に光センサーを置くことができ、発光体４００が発光すると、光センサーはその光線を受けて、信号をスイッチ９２０に送るのであり、これを受けて電源９００はモーター６００に対し、給電を行い、
これを受けて、物体５が動きだすのである。前記電源９００は琴の音色あるいは音楽をもつ音声装置８００（例えば拡声器）に連接し、物体５が運動すると同時に、琴の音あるいは音楽が流れだすのであり、光センサー７００は光電スイッチあるいは光抵抗体（オーム）等から成り、かつ光センサー７００もまた第二凹レンズのミラーの上、あるいはスペース３００、台５００の中のいかなるところに設置することができるのである。
【００２０】
次、物体５自身もまた一つの発光体になることができ、例えば透明のイルミネーション、甚だしきに至っては、蝋燭をまず点けてから、台５００の上に固定させ、それからスペースの中に止めることもできるので、このようにこのオプティカル・ディスプレイデバイス２００を蝋燭の台として使用することもできるのである。当然ながら、同じく発光体４００が無くてもかまわないし、あるいは前述の実施例通りに、違うカラーの色で異なったカラーの調和をし、あるいは順番に発光するのである。
【００２１】
このほか、図６で示されているように、本考案のオプティカル・ディスプレイデバイスもまた第二開口２２２箇所にスクリーン２５０を設置することができ（上述の物体５に取って代わり）、並びに台５００の中にスクリーン５３０が設置され、スクリーン５３０はレーザー光源５３１、第一反射鏡５３２、第二反射鏡５３３、第一駆動装置５３４及び第二駆動装置５３５を含み、第一駆動装置５３４は第一反射鏡５３２の角度を変えるのに用いられ、第二駆動装置５３５は第二反射鏡５３３の角度変更するのに用いられ、レーザーの光はレーザー光源５３１から発射され、第一反射鏡５３２及び第二反射鏡５３３に反射された後、スクリーン２５０に写像され、それから第一開口２１２箇所に写像されるのである。
【００２２】
このとおり、本考案のオプティカル・ディスプレイデバイスとは、自身に光源があり、このためいかなる環境の下で、均等よく写像の品質は維持でき、同時に、光源のカラー変化により、違った視覚効果を生み出せ、故に、本考案は空間形態上では斬新なものであるだけでなく、比較的に物品を慣用することができ、このことにより、前述した多種の効果が生まれ、さらには当製品の実用価値及び競争力は高められるのである。
【図面の簡単な説明】
【００２３】
【図１】従来のオプティカル・ディスプレイデバイスの立体投影図である。
【図２】図１の断面図である。
【図３】オプティカル・ディスプレイデバイスの比較的によい実施例の断面図。
【図４】オプティカル・ディスプレイデバイスのもう一つの比較的によい実施例の断面図。
【図５】オプティカル・ディスプレイデバイスの比較的によい実施例の分解略図。
【図６】オプティカル・ディスプレイデバイスのもう一つの比較的によい実施例の断面図。
【符号の説明】
【００２４】
１００            オプティカル・ディスプレイデバイス
５            物体
６            実像
７、９            光線
１０            第一凹レンズ
１１            ミラー
１２            開口
２０            第二凹レンズ
２１            ミラー
２００            オプティカル・ディスプレイデバイス
２１０            第一凹レンズ
２１１            鏡面
２１２            第一開口
２１８            反射鏡
２２０            第二凹レンズ
２２１            ミラー
２２２            第二開口
２２４            フランジ
２２５            第二開口
２２６            スルーホール
２５０            スクリーン
３００            空間
４００            発光体
５００            台
５０２            フランジ
５３０            画像（写像）システム
５３１            レーザー光源
５３２            第一反射鏡
５３３            第二反射鏡
５３４            第一駆動装置
５３５            第二駆動装置
６００            駆動装置
７００            光センサー
８００            音声装置
９００            電源
９２０            スイッチ
【図１】
0003121210.tif 000003
【図２】
0003121210.tif 000004
【図３】
0003121210.tif 000005
【図４】
0003121210.tif 000006
【図５】
0003121210.tif 000007
【図６】
0003121210.tif 000008